(57)【特許請求の範囲】
【請求項１】
多層構造であり、
下層部材（１１０）と、
前記下層部材の表面に圧着された中層部材と、上層の表皮とで成型されており、
前記下層部材（１１０）は、
横アーチ用凸部、内側縦アーチ用凸部、外側縦アーチ用凸部が成型され、
さらに、足の後足部に対応する領域に、足の踵骨の踵骨隆起付近から放射状に出る足底筋膜（Ｋ）の筋膜起点部を保護するための楕円状の穴が空けられており、
この楕円状の穴の横アーチ用凸部側となる縁から、この横アーチ用凸部に向かうに従って次第に高さを増す傾斜にされ、かつ、両側の縁が前記楕円状の穴を囲んで前記横アーチ用凸部に向かうに従って次第に幅方向に広がる銅鐸形状にされて、足底筋膜炎、扁平足、外反母趾対策用としたことを特徴とするインソール。
【請求項２】
前記下層部材（１１０）は、軟弾性部材であることを特徴とする請求項１記載のインソール。
【請求項３】
請求項１又は請求項２に記載のインソールを内蔵した靴。
【発明の詳細な説明】
【技術分野】
【０００１】
本発明は、足の３アーチの崩れを矯正又は防止すると共に足底筋膜炎の発生を防止できるインソールに関する。
【背景技術】
【０００２】
足裏には図１８及び図１９に示すように、荷重時にショックを吸収するために足３００の骨格のアーチを保持する足底筋膜Ｋ（足底腱膜ともいう）がある。
【０００３】
図１８は足の内側から見た場合の側面図である。図１８の側面図には足の骨格を示す。また、図１９は足の裏面側からみた場合の裏面図である。
【０００４】
図１８は、足３００の第１中足骨３４２と、第１楔状骨３５２と、舟状骨３５７と、踵骨３６３と、踵骨隆起３６３Ａ等を示している。また、足底筋膜Ｋは、踵骨３６３の踵骨隆起３６３Ａを起点としている。
【０００５】
そして、足底筋膜Ｋは図１９に示すように、踵骨隆起３６３Ａ（内側突起３６３Ａ１、外側突起３６３Ａ２）に最も近い部位を起点（以下筋膜起点部３６３Ｂという）とし、この筋膜起点部３６３Ｂから第１中足骨３４２、第２中足骨３４３、第３中足骨３４４、第４中足骨３４５、第５中足骨３４６の各々の骨頭付近に接続するように放射状に伸びている。
【０００６】
このため、荷重時には、踵骨隆起３６３Ａに最も近い部位である筋膜起点部３６３Ｂに足底筋膜炎が最も多く発生する傾向にある。
【０００７】
この足底筋膜炎と足のアーチ（内側縦アーチ、横アーチ、外側縦アーチ等）とは密接な関係がある。横アーチが崩れてくると開帳足、外反母趾になる傾向にある。また、外側縦アーチが崩れてくると姿勢が崩れてくる。さらに、内側縦アーチが崩れてくると扁平足になる傾向にある。
【０００８】
扁平足になって足の舟状骨３５７が落ちてきて内側縦アーチが落ちてくると、図１９に示す足底筋膜Ｋは引き伸ばされたようになり、筋膜起点部３６３Ｂに強い牽引力がかかっている状態となる。このため、走行時には、衝撃が直接、足底筋膜Ｋにかかることになり、痛みを感じるようになる（足底筋膜炎）。また、逆に足のアーチが高すぎても足底筋膜炎が発生する。
【０００９】
さらに、扁平足が進んで急激な張力が足底筋膜Ｋにかかると、図２０に示すように、筋膜起点部３６３Ｂの付着部３６３Ｃが踵骨隆起３６３Ａから離れて踵骨棘３６３Ｄが生じると言われている。
【００１０】
前述の足底筋膜炎等を解消するための中敷として特許文献１が開示されている。
【００１１】
特許文献１の中敷は、表素材と裏素材とからなる多層構造にして、足の骨格のアーチである内側縦アーチ、外側縦アーチを整える凸形状を成型し、かつ裏素材の踵骨に対応する部分を楕円状の穴にして、中敷の踵部の底部を凹形状に成型して踵部周囲を持ち上げている（段落００５０参照）。
【００１２】
つまり、足底筋膜Ｋの筋膜起点部３６３Ｂに不要な荷重がかからないようにして痛みを軽減させている。
【００１３】
また、特許文献１の段落[００３９]、段落[００４０]には、横アーチを持ち上げて、第１中足骨３４２と第２中足骨３４３と第３中足骨３４４と第４中足骨３４５と第５中足骨３４６とが狭まるようにして外反母趾を矯正又は予防することが開示されている。
【００１４】
さらに、特許文献１の段落[００４６]には、内側縦アーチの頂点を構成する舟状骨３５７を中心として第１中足骨３４２の骨頭付近から踵骨３６３付近までの範囲に、内側縦アーチを支える膨隆部を成型することで扁平足を矯正又は予防することが開示されている。
【先行技術文献】
【特許文献】
【００１５】
【特許文献１】特許第４１６３２３７号公報
【発明の概要】
【発明が解決しようとする課題】
【００１６】
足底筋膜Ｋというのは、図２０に示すように、踵骨３６３の踵骨隆起３６３Ａ（起点）から第１中足骨３４２、第２中足骨３４３、第３中足骨３４４、第４中足骨３４５、第５中足骨３４６の各々の骨頭に接続するように放射状に延びている。
【００１７】
しかしながら、特許文献１の中敷は、足底筋膜Ｋの筋膜起点部３６３Ｂの部分に楕円状の穴を成型しているだけであるので踵骨棘３６３Ｄには対応できたとしても、足底筋膜Ｋの筋膜起点部３６３Ｂ付近に対応していない。
【００１８】
このため、筋膜起点部３６３Ｂにおける放射形状の足底筋膜Ｋの両縁が中敷にあたって足底筋膜炎を発生することがある。
【００１９】
また、人によっては、足の３アーチが酷く崩れて足底筋膜炎に加えて扁平足、外反母趾等の複合的な症状を発生している場合もある。
【００２０】
しかし、特許文献１の中敷は、足底筋膜炎、扁平足又は外反母趾の各々の矯正又は予防を目的とする個別形状であるから１つの中敷（以下インソールという）で複合的な症状に対応することができない。
【００２１】
本発明は上記の課題を鑑みてなされたものであり、足の３アーチの崩れを矯正又は防止すると共に足底筋膜炎の発生を防止できるインソールを得ることを目的とする。
【課題を解決するための手段】
【００２２】
本発明に係るインソールは、足の裏面に接する表側に、足の３アーチを保つための横アーチ用凸部、内側縦アーチ用凸部、外側縦アーチ用凸部足が成型されており、
足の後足部に対応する領域に、前記足の踵骨の踵骨隆起付近から放射状に出る足底筋膜（Ｋ）の筋膜起点部を保護するための楕円状の凹部が成型されており、
この楕円状の凹部を囲んで前記横アーチ用凸部に向かうに従って次第に高さを増す傾斜にされ、かつ、両側の縁が前記横アーチ用凸部に向かうに従って次第に幅方向に広がる銅鐸形状の足底筋膜保護用凹部が成型されて、足底筋膜炎対策用、扁平足、外反母趾対策用としたことを要旨とする。
【００２３】
また、本発明に係るインソールは、
多層構造であり、
下層部材（１１０）と、
前記下層部材の表面に圧着された中層部材と、上層の表皮とで成型されており、
前記下層部材（１１０）は、
横アーチ用凸部、内側縦アーチ用凸部、外側縦アーチ用凸部が成型され、
さらに、足の後足部に対応する領域に、足の踵骨の踵骨隆起付近から放射状に出る足底筋膜（Ｋ）の筋膜起点部を保護するための楕円状の穴が空けられており、
この楕円状の穴の横アーチ用凸部側となる縁から、この横アーチ用凸部に向かうに従って次第に高さを増す傾斜にされ、かつ、両側の縁が前記楕円状の穴を囲んで前記横アーチ用凸部に向かうに従って次第に幅方向に広がる銅鐸形状にされて、足底筋膜炎、扁平足、外反母趾対策用としたこと要旨とする。
【発明の効果】
【００２４】
以上のように本発明によれば、上から見たときに凹型の銅鐸形状となる足底筋膜保護用凹部を成型しているので、足の踵骨の踵骨隆起付近から放射状に出る足底筋膜（Ｋ）の筋膜起点部を保護することができると共に、銅鐸形状の足底筋膜保護用凹部が凹状に成形されているので踵骨棘に対しても対応できる。このため、走行等によって足底筋膜に荷重、張力がかかっても痛くならない。
【００２５】
さらに、足底筋膜保護用凹部の他に、３アーチを支えるための凸部を足裏となる面側に成型しているので、開帳足、外反母趾、姿勢の崩れ、扁平足等を防止できる。
【図面の簡単な説明】
【００２６】
【図１】実施の形態１のインソールの斜視図である。
【図２】インソール２００の裏面図である。
【図３】足底筋膜保護用凹部２７０の拡大斜視図である。
【図４】図１のインソール２００の足の内側からの側面図である。
【図５】図６のＡ−Ａ断面図である。
【図６】インソール２００の上面図である。
【図７】図６のインソール２００のａ―ａ切断線〜ｃ―ｃ切断線の断面図である。
【図８】図６のインソール２００のｄ―ｄ切断線〜ｅ―ｅ切断線の断面図である。
【図９】実施の形態２のヒールクッションパッド４００と男性靴４５０と足３００との関係を説明する斜視図である。
【図１０】ヒールクッションパッド用足底筋膜保護用凹部４１０を設けたヒールクッションパッド４００の説明図である。
【図１１】ヒールクッションパッド用足底筋膜保護用凹部４１０を設けたヒールクッションパッド４００と足３００との関係を説明する側面図である。
【図１２】ヒールクッションパッド用足底筋膜保護用凹部４１０を設けたヒールクッションパッド４００と足底筋膜Ｋと筋膜起点部３６３Ｂとの関係を説明する足の裏面図である。
【図１３】実施の形態３の多層構造のヒールクッションパッドを説明する説明図である。
【図１４】実施の形態４の多層構造のヒールクッションパッドを説明する説明図である。
【図１５】実施の形態５の馬蹄形型ヒールクッションの説明図である。
【図１６】実施の形態６の第１の多層型馬蹄型ヒールクッションパッド８００の説明である。
【図１７】実施の形態７の第２の多層型馬蹄型ヒールクッションパッド９００の説明図である。
【図１８】足の足底筋膜Ｋを説明する足の側面図である。
【図１９】足の足底筋膜Ｋを説明する足の裏面図である。
【図２０】踵骨棘３６３Ｄの説明図である。
【発明を実施するための形態】
【００２７】
本発明の技術的思想は、特許請求の範囲に記載された技術的範囲内において、種々の変更を加えることができる。図面は模式的なものであり、構成等は現実のものとは異なることに留意すべきである。
【００２８】
＜実施の形態１＞
図１は実施の形態１のインソールの斜視図である。実施の形態１においては男性用（Ｍサイズ：２５ｃｍ〜２６ｃｍ）の靴に内蔵されるインソールとして説明する。また、図１においては足の骨格を示して説明する。
【００２９】
図１に示すインソール２００は、下層部材１１０と中層部材１２０と上層部材１３０とをホットメルト等で付着して金型で圧着成型して、足３００に接する面に、足の３アーチＦＡを保つための横アーチ用凸部２４０、内側縦アーチ用凸部２５０、外側縦アーチ用凸部２６０が成型されている。
【００３０】
すなわち、開帳足対策用、外反母趾対策用、姿勢維持対策用、扁平足対策用等に対応可能となっている。
【００３１】
さらに、足の後足部３６０に対応する後足部対応領域２３０の表面側に、足３００の踵骨３６３の踵骨隆起３６３Ａ付近から放射状に出る足底筋膜Ｋの筋膜起点部３６３Ｂを保護するための凹形状の足底筋膜保護用凹部２７０を成型している。
【００３２】
このインソール２００の材質は、下層部材１１０及び中層部材１２０が軟弾性部材であり、具体的にはウレタン樹脂、エラストマー、コルクゴム、ＥＶＡ樹脂材等である。本実施の形態ではウレタン樹脂（以下単にウレタンという）として説明する。
【００３３】
また、上層部材１３０は不織布又は布、革、人工被覆等である。本実施の形態では布として説明する。
【００３４】
なお、前述の下層部材１１０は中層部材１２０と同じ素材であるが、中層部材１２０よりも圧縮率を高くしている（硬く感じる）。このため、下層部材１１０から適度の反発力が与えられることになる。
【００３５】
また、図１に示すように、踵側には後述する銅鐸形状の足底筋膜保護用凹部２７０を成型している。また、これらは滑らかな曲面で繋がるように成型されている。
【００３６】
実施の形態１のインソール２００の説明の前に足３００の骨格について図１を用いて説明する。
【００３７】
足３００は、図１に示すように、前足部３１０と、中足部３４０と、後足部３６０とから構成されている。
【００３８】
[足骨格の説明]
なお、実施の形態１では、足３００の骨格は解剖学的な名称を用いないで、義肢装具等の製造業界で使用している名称で説明する。
【００３９】
前足部３１０の骨格は、第１末節骨３１２と第２末節骨３１３と第３末節骨３１４と第４末節骨３１５と第５末節骨３１６と第２中節骨３２１と第３中節骨３２２と第４中節骨３２３と第５中節骨３２４と第１基節骨３３２と第２基節骨３３３と第３基節骨３３４と第４基節骨３３５と第５基節骨３３６とからなる範囲をいう。
【００４０】
中足部３４０は、第１中足骨３４２と第２中足骨３４３と第３中足骨３４４と第４中足骨３４５と第５中足骨３４６と第１楔状骨３５２と第２楔状骨３５３と第３楔状骨３５４と立方骨３５６と舟状骨３５７とを含む範囲をいう。また、後足部３６０は、距骨３６２と踵骨３６３とからなる範囲である。踵骨３６３には後述する踵骨隆起３６３Ａが存在している。
【００４１】
また、足３００というのは図１に示すように、３アーチＦＡ（横アーチＦＡ１、内側縦アーチＦＡ２、外側縦アーチＦＡ３）を維持することが重要である。横アーチＦＡ１が崩れてくると、開帳足、外反母趾になる傾向にある。また、外側縦アーチＦＡ３が崩れてくると、姿勢が崩れる傾向にある。内側縦アーチＦＡ２が崩れてくると扁平足になる傾向にある。
【００４２】
さらに、図１の足３００には、踵骨３６３の踵骨隆起３６３Ａのやや前方付近である筋膜起点部３６３Ｂを起点にして放射状に延びる足底筋膜Ｋを示している。
【００４３】
[インソール２００の概略]
図１に示すように、実施の形態１のインソール２００は、下層部材１１０の表面に中層部材１２０を圧着し、この中層部材１２０の上に上層部材１３０を貼り付けて成型している。
【００４４】
また、下層部材１１０の踵骨隆起３６３Ａに対応する領域には、楕円穴１１５が空けられている。なお、下層部材１１０の楕円穴１１５は、円、長軸が楕円穴１１５の長軸よりも長い縦長楕円穴（図示せず）でも構わないが、実施の形態１においては図２の楕円穴１１５を一例として説明する。また、実施の形態１においては、寸法を記載して説明するが、この寸法は一例である。
【００４５】
上記の足底筋膜保護用凹部２７０は、上層部材１３０の表面側の下層部材１１０の楕円穴１１５に対応する領域に成形されており、頂部２７２がインソール後端２０２側の丸みに沿っており、両側が頂部２７２に対して横アーチ用凸部２４０側(爪先側)に向かうに従って次第に広がる銅鐸形状にされている。
【００４６】
一方、実施の形態１のインソール２００の内側縦アーチ用凸部２５０と、横アーチ用凸部２４０とを総称して土踏まず凸部領域２８０と称する。
【００４７】
また、後足部３６０に対応する領域を後足部対応領域２３０と称し、中足部３４０に対応する領域を中足部対応領域２２０と称し、前足部３１０に対応する領域を前足部対応領域２１０と称している。
【００４８】
また、前足部対応領域２１０からインソール先端２０１までの領域を爪先領域部２０５と称する。この爪先領域部２０５と前足部対応領域２１０とを総称して前側領域部２１５と称する。
【００４９】
さらに、図１のインソール２００には、横アーチ用凸部２４０の中央付近と足底筋膜保護用凹部２７０の中央付近とを通る中央アーチラインＨと、第１中足骨３４２の骨頭の中央付近と内側縦アーチ用凸部２５０の頂点付近とを通って中央アーチラインＨに略平行な内側縦アーチラインＥと、外側縦アーチ用凸部２６０の頂点付近とを通って中央アーチラインＨに略平行な外側縦アーチラインＪとを示している。
【００５０】
前述の内側縦アーチ用凸部２５０の頂点（以下内側縦アーチ用凸部頂点２５０Ａという）は、図１に示すように、舟状骨３５７付近に対応している。また、横アーチ用凸部２４０の頂点（以下横アーチ用凸部頂点２４０Ａという）は、第２中足骨３４３の骨頭よりやや後方付近と、第３中足骨３４４の骨頭よりやや後方付近との間に対応している。
【００５１】
さらに、外側縦アーチ用凸部２６０の頂点（外側縦アーチ用凸部頂点２６０Ａという）は、踵骨３６３の前方（足の外側）付近に対応している。
【００５２】
そして、内側縦アーチ用凸部頂点２５０Ａは、横アーチ用凸部頂点２４０Ａよりも高さがある。
【００５３】
[インソール２００の詳細説明]
図２はインソール２００の裏面図である。この図は左足用のインソール２００に左足を載せて裏側から見た場合の図であり、足の骨格も示して説明する。
【００５４】
下層部材１１０は、下層部材先端ＬＫが第１中足骨３４２の骨頭付近の内側端から、この第１中足骨３４２の骨頭付近の直後付近を通って、第２中足骨３４３の骨頭の直後付近及び第３中足骨３４４の骨頭の直後付近を通っている。さらに、第４中足骨３４５の骨頭の直後付近を通って、第５中足骨３４６の骨底の直後付近を通って第５中足骨３４６の中央付近よりやや骨頭側を通って外側端に至る形状にされている。
【００５５】
つまり、第５中足骨３４６を除く形状にされ、第５中足骨３４６の骨底が当該インソールの表に強く当たらないようにされている。
【００５６】
さらに、後足部対応領域２３０には、踵骨３６３の踵骨隆起３６３Ａ（内側突起３６３Ａ１、外側突起３６３Ａ２）付近から楕円穴１１５が成型されている。
【００５７】
また、図２には、当該インソールの表側に成型されている図１の足底筋膜保護用凹部２７０を点線で示している。また、足底筋膜Ｋと筋膜起点部３６３Ｂとを示している。
【００５８】
前述の足底筋膜保護用凹部２７０の縁を足底筋膜保護用凹部縁２７１と称する。
【００５９】
（足底筋膜保護用凹部２７０の詳細）
図３はインソール２００の上層部材１３０の上から足底筋膜保護用凹部２７０を見た場合の拡大斜視図である。但し、下層部材１１０における楕円穴１１５を点線で示し、筋膜起点部３６３Ｂを点線で示す。また、足底筋膜保護用凹部２７０は、具体的には内側にわずかに寄って成型されている。
【００６０】
前述の足底筋膜保護用凹部２７０の下側の面を成型している縁を下側足底筋膜保護用凹部縁２７１ｄと称し、上側の縁を上側足底筋膜保護用凹部縁２７１ｕと称する。
【００６１】
そして、足底筋膜保護用凹部２７０の足の外側となる下側足底筋膜保護用凹部縁２７１ｄは外側の下側足底筋膜保護用凹部縁２７１ｄと称し、足の内側となる下側足底筋膜保護用凹部縁２７１ｄは内側の下側足底筋膜保護用凹部縁２７１ｄと称する。
【００６２】
さらに、足底筋膜保護用凹部２７０の足の外側となる上側足底筋膜保護用凹部縁２７１ｕは外側の上側足底筋膜保護用凹部縁２７１ｕと称し、足の内側となる上側足底筋膜保護用凹部縁２７１ｕは内側の上側足底筋膜保護用凹部縁２７１ｕと称する。これらの縁を総称して足底筋膜保護用凹部縁２７１と称する。
【００６３】
図３に示すように、足底筋膜保護用凹部２７０は、コーナー部２００Ａのインソール後端２０２から３８．０ｍｍ程度（例えば３７．５〜３８．５ｍｍ：好ましくは３８．０ｍｍ）の位置から成型されている。
【００６４】
そして、足底筋膜保護用凹部２７０の足底筋膜保護用凹部縁２７１の下側足底筋膜保護用凹部縁２７１ｄは下層部材１１０の楕円穴１１５に沿って成型されて中足部対応領域２２０側（横アーチ用凸部２４０）に向かうに従って次第に広がっている。
【００６５】
また、足底筋膜保護用凹部２７０の足底筋膜保護用凹部縁２７１の上側足底筋膜保護用凹部縁２７１ｕは、下側足底筋膜保護用凹部縁２７１ｄに対してわずかに大きくされている（同心円状）。
【００６６】
具体的には例えば、下層部材１１０の楕円穴１１５の短軸（以下楕円穴短軸１１５ａという）は３１．０ｍｍ程度（例えば３０．５〜３１．５ｍｍ：好ましくは３１．０ｍｍ）であり、長軸（以下楕円穴長軸１１５ｂという）は３８．０ｍｍ程度にされている。
【００６７】
この場合は、楕円穴１１５の楕円穴短軸１１５ａ付近の両脇の上側足底筋膜保護用凹部縁２７１ｕの幅は、３３．０ｍｍ程度（例えば３２．５〜３３．５ｍｍ：好ましくは３３．０ｍｍ）である。
【００６８】
また、踵側の下側足底筋膜保護用凹部縁２７１ｄからの上側足底筋膜保護用凹部縁２７１ｕまでの足底筋膜保護用凹部周囲面２７０Ａの高さは１．８ｍｍ程度（例えば１．３〜２．３ｍｍ：好ましくは１．８ｍｍ）にされ、中足部対応領域２２０側に向かうに従って足底筋膜保護用凹部周囲面２７０Ａの高さが次第に狭まっている。
【００６９】
すなわち、足底筋膜保護用凹部２７０の底面は、頂部２７２付近が最も深く、横アーチ用凸部２４０側に向かうに従って厚みが増加している。
【００７０】
また、足の爪先方向となる足底筋膜保護用凹部２７０における内側の上側足底筋膜保護用凹部縁２７１ｕと内側の下側足底筋膜保護用凹部縁２７１ｄとが交わる付近と、外側の上側足底筋膜保護用凹部縁２７１ｕと外側の下側足底筋膜保護用凹部縁２７１ｄとが交わる付近との幅は、３６．０ｍｍ程度（例えば３５．５〜３６．５ｍｍ：好ましくは３６．０ｍｍ）にされている。
【００７１】
つまり、図３に示すように、足底筋膜保護用凹部２７０は、足底筋膜保護用凹部縁２７１が筋膜起点部３６３Ｂから放射状に延びる足底筋膜Ｋに沿った銅鐸形状（上から見て）にされている。
【００７２】
このため、足３００をインソール２００に載置した場合は、踵骨３６３の周囲が足底筋膜保護用凹部２７０を除く後足部対応領域２３０の周囲の頂（凸）に載るので、足底筋膜Ｋの筋膜起点部３６３Ｂが痛くなることがない。つまり、足底筋膜炎による痛みがとれることになる。
【００７３】
図４は図１のインソール２００の足の内側からの側面図である。図４においては右足の足の内側からの足骨格の側面を記載して説明する。図５は図６のＡ−Ａ断面図である。
【００７４】
図４に示すように、内側縦アーチ用凸部頂点２５０Ａは、舟状骨３５７付近に対応している。このため、足の骨格が緩んで舟状骨３５７が落ちてきても、内側縦アーチ用凸部２５０によって、これを防止できる。
【００７５】
一方、図５に示すように、足底筋膜保護用凹部２７０が成型されているので、足底筋膜Ｋの筋膜起点部３６３Ｂが痛くなることを防止できている。
【００７６】
[インソール２００の断面]
インソール２００の各断面について図６〜図８を用いて詳細に説明する。図６はインソール２００の上面図であり、切断線を示している。
【００７７】
図７は図６のインソール２００のａ―ａ切断線〜ｃ―ｃ切断線の断面図である。図８は図６のインソール２００のｄ―ｄ切断線〜ｅ―ｅ切断線の断面図である。
【００７８】
図７（ａ）のａ−ａ断面は、前側領域部２１５における断面である。図７（ａ）に示すように、ａ−ａ断面は中層部材１２０と、上層部材１３０とからなり、中層部材１２０の上に上層部材１３０が貼り付けられている。中層部材１２０の厚みは２．０ｍｍ程度（例えば１．５〜２．５ｍｍ：好ましくは２．０ｍｍ）であり、上層部材１３０の厚みは１．
０ｍｍ程度（例えば０．５〜１．５ｍｍ：好ましくは１．０ｍｍ）である。
【００７９】
図７（ｂ）のｂーｂ断面は、中足部対応領域２２０における断面であり、横アーチ用凸部２４０における横アーチ用凸部頂点２４０Ａのやや前方の切断面である。
【００８０】
このｂ―ｂ断面においては、下層部材１１０と、中層部材１２０と、上層部材１３０とからなり、下層部材１１０の上に中層部材１２０が貼り付けられ、中層部材１２０の上に上層部材１３０が貼り付けられている。
【００８１】
前述の下層部材１１０は、図７（ｂ）に示すように、足の外側となる第５中足骨３４６が載置される中層部材１２０の下には存在しない。
【００８２】
そして、中層部材１２０におけるこの部分の厚みは、３．０ｍｍ程度（２．５〜３．５ｍｍ：好ましくは３．０ｍｍ）である。
【００８３】
また、図７（ｂ）のｂ−ｂ断面における下層部材１１０中央付近の厚みは９．０ｍｍ程度（例えば８．５〜９．５ｍｍ：好ましくは９．０ｍｍ）にされている。
【００８４】
また、図７（ｂ）のｂ−ｂ断面における足の内側端は内側縦アーチ用凸部２５０の前方部分であるから厚みは、下層部材１１０、中層部材１２０、上層部材１３０を含めて１２．０ｍｍ程度（例えば１１．５〜１２．５ｍｍ：好ましくは１２．０ｍｍ）にされている。
【００８５】
また、この部分の下層部材１１０の厚みは８．０ｍｍ程度（例えば７．５〜８．５ｍｍ：好ましくは８．０ｍｍ）にされている。
【００８６】
図７（ｃ）のｃーｃ断面は、中足部対応領域２２０の内側縦アーチ用凸部頂点２５０Ａ付近の断面であり、外側縦アーチ用凸部２６０を含む部分である。
【００８７】
このｃ―ｃ断面においては、下層部材１１０と、中層部材１２０と、上層部材１３０とからなり、下層部材１１０の上に中層部材１２０が貼り付けられ、中層部材１２０の上に上層部材１３０が貼り付けられている。この部分における下層部材１１０は、足の外側端と足の内側端との両端に渡っている。
【００８８】
そして、足の外側端の厚みは、下層部材１１０と中層部材１２０と上層部材１３０とを含めて１３．０ｍｍ程度（例えば１２．５〜１３．５ｍｍ：好ましくは１３．０ｍｍ）である。  
【００８９】
また、図７（ｃ）のｃーｃ断面における下層部材１１０の中央付近の厚みは６．０ｍｍ程度（例えば５．５〜６．５ｍｍ：好ましくは６．０ｍｍ）にされている。
【００９０】
また、足の内側端は内側縦アーチ用凸部頂点２５０Ａ付近であるから厚みは、下層部材１１０と中層部材１２０と上層部材１３０とを含めて１７．０ｍｍ程度（例えば１６．５〜１７．５ｍｍ：好ましくは１７．０ｍｍ）にされている。また、この部分は、中央アーチラインＨに略平行な内側縦アーチラインＥが通る領域であり、下層部材１１０の厚みは９．０ｍｍ程度（例えば８．５〜９．５ｍｍ：好ましくは９．０ｍｍ）にされている。
【００９１】
すなわち、図７（ｂ）と図７（ｃ）とに示すように、内側縦アーチラインＥに存在する内側縦アーチ用凸部頂点２５０Ａは、横アーチ用凸部２４０よりも高くなっている。
【００９２】
図８（ａ）のｄーｄ断面は、後足部対応領域２３０の前方部分の断面であり、足底筋膜保護用凹部２７０を含む部分である。
【００９３】
このｄ―ｄ断面においては、下層部材１１０と、中層部材１２０と、上層部材１３０とからなる。但し、この下層部材１１０の中央部分には楕円穴１１５が成型されている。この部分の楕円穴１１５の横幅は、２０．０ｍｍ程度（例えば１９．５〜２０．５ｍｍ：好ましくは２０．０ｍｍ）である。
【００９４】
また、この部分の足底筋膜保護用凹部２７０の内側の上側足底筋膜保護用凹部縁２７１ｕと外側の上側足底筋膜保護用凹部縁２７１ｕとの間隔は３４．０ｍｍ程度（例えば３３．５〜３４．５ｍｍ：好ましくは３４．０ｍｍ）である。
【００９５】
さらに、この部分の足底筋膜保護用凹部２７０の内側の下側足底筋膜保護用凹部縁２７１ｄと外側の下側足底筋膜保護用凹部縁２７１ｄとの間隔は２９．０ｍｍ程度（例えば２８．５〜２９．５ｍｍ：好ましくは２９．０ｍｍ）である。
【００９６】
一方、この部分の内側端の厚みは、１６．０ｍｍ程度（例えば１５．５〜１６．５ｍｍ：好ましくは１６．０ｍｍ）であり、外側端は１３．０ｍｍ程度（例えば１２．５〜１３．５ｍｍ：好ましくは１３．０ｍｍ）である。
【００９７】
また、この部分の足底筋膜保護用凹部２７０の内側の上側足底筋膜保護用凹部縁２７１ｕまでの厚みは１０．０ｍｍ（例えば９．５〜１０．５ｍｍ：好ましくは１０．０ｍｍ）である。また、この部分の足底筋膜保護用凹部２７０の外側の上側足底筋膜保護用凹部縁２７１ｕまでの厚みは７．０ｍｍ（例えば６．５〜７．５ｍｍ：好ましくは７．０ｍｍ）である。
【００９８】
図８（ｂ）のｅーｅ断面は、後足部対応領域２３０の足底筋膜保護用凹部２７０の中央よりやや後方の断面である。
【００９９】
このｅ―ｅ断面においては、下層部材１１０と、中層部材１２０と、上層部材１３０とからなる。但し、この下層部材１１０の中央部分には楕円穴１１５が成型されている。この部分の楕円穴１１５の横幅は、２５．０ｍｍ程度（例えば２４．５〜２５．５ｍｍ：好ましくは２５．０ｍｍ）である。
【０１００】
また、この部分の足底筋膜保護用凹部２７０の内側の上側足底筋膜保護用凹部縁２７１ｕと外側の上側足底筋膜保護用凹部縁２７１ｕとの間隔は２９．０ｍｍ程度（例えば２８．５〜２９．５ｍｍ：好ましくは２９．０ｍｍ）である。
【０１０１】
さらに、この部分の足底筋膜保護用凹部２７０の内側の下側足底筋膜保護用凹部縁２７１ｄと外側の下側足底筋膜保護用凹部縁２７１ｄとの間隔は２４．０ｍｍ程度（例えば２３．５〜２４．５ｍｍ：好ましくは２４．０ｍｍ）である。
【０１０２】
一方、この部分の内側端の厚みは、１４．０ｍｍ程度（例えば１３．５〜１４．５ｍｍ：好ましくは１４．０ｍｍ）であり、外側端は１２．０ｍｍ程度（例えば１１．５〜１２．５ｍｍ：好ましくは１２．０ｍｍ）である。
【０１０３】
すなわち、図８（ａ）及び図８（ｂ）に示すように、足底筋膜保護用凹部２７０は、上から見て踵側から前方に向かうに従って次第に広がる銅鐸形状にされている。
【０１０４】
図８（ａ）のｄ−ｄ断面における上側足底筋膜保護用凹部縁２７１ｕと図８（ｂ）のｅ−ｅ断面における上側足底筋膜保護用凹部縁２７１ｕとを比較すると、ｄ−ｄ断面においては左右に約２．５０ｍｍだけ広がっている。
【０１０５】
従って、足がインソール２００に載置された場合は、足の足底筋膜Ｋの筋膜起点部３６３Ｂの周囲部分が足底筋膜保護用凹部２７０の周囲の凸部分に載ることになるので足底筋膜Ｋの筋膜起点部３６３Ｂが痛くならない。また、足底筋膜保護用凹部２７０が前方に向かうに従って広がっているので、足底筋膜Ｋにあたることがないので足底筋膜炎の発生を抑えることができる。
【０１０６】
なお、上記実施の形態１では男性用のインソールとして説明したが女性用であってもよい。
また、上記実施の形態１では３層として説明したが２層であっても構わない。
【０１０７】
さらに、上記実施の形態１では多層構造として説明したが、１つの部材で成型した単層構造でも構わない。
【０１０８】
さらに、上記実施の形態１では、横アーチ用凸部２４０、内側縦アーチ用凸部２５０、外側縦アーチ用凸部２６０を成型したインソールとして説明したが横アーチ用凸部２４０、内側縦アーチ用凸部２５０、外側縦アーチ用凸部２６０を成型しなくともかまわない。
【０１０９】
また、上記実施の形態１の足底筋膜保護用凹部２７０は、ハーフインソール、１／３インソール等に設けても構わない。１／３インソールの一種であるヒールクッションパッドを一例として以下の実施の形態で説明する。
【０１１０】
また、ヒールクッシュンパッドは、単層、多層でも構わない。さらに、材質はウレタン樹脂、エラストマー、コルクゴム、ＥＶＡ樹脂材、粘弾性シリコンゼェル等である。
【０１１１】
実施の形態２のヒールクッシュンパッド（単にパッドともいう）は、単層とし、材質は粘弾性シリコンゼェルとして説明する。
【０１１２】
＜実施の形態２＞
図９は実施の形態２のヒールクッションパッド４００と男性靴４５０と足３００との関係を説明する斜視図である。
【０１１３】
上記の足底筋膜炎対策用のための銅鐸形状の足底筋膜保護用凹部２７０を図９に示すように足３００の踵部３７０のショックを和らげるヒールクッションパッド４００に設けている。
【０１１４】
このヒールクッションパッド４００に設けられた足底筋膜保護用凹部２７０をヒールクッションパッド用足底筋膜保護用凹部４１０と称する。
【０１１５】
ヒールクッションパッド４００は、図９に示すように男性靴４５０（女性用でもかまわない）の中底４５５における踵部（以下中底踵部５１２という）に載置されて用いられる。
【０１１６】
上記のヒールクッションパッド用足底筋膜保護用凹部４１０について図１０を用いて詳細に説明する。
【０１１７】
図１０（ａ）はヒールクッションパッド４００の上面図を示し、図１０（ｂ）はヒールクッションパッド４００の側面図を示し、図１０（ｃ）はヒールクッションパッド４００を前側からみた場合の図面を示し、図１０（ｄ）はヒールクッションパッド４００を後側からみた場合の図面を示す。また、実施の形態２においては、寸法を記載して説明するが、この寸法は一例である。
【０１１８】
図１０（ａ）に示すように、ヒールクッションパッド４００は足３００の後足部３６０の足裏に対応する形状である。
【０１１９】
つまり、ヒールクッションパッド４００は、横幅は後方が広く前側が狭くなっている。
【０１２０】
そして、このヒールクッションパッド４００の前方には傾斜部４２０が成型されている。
【０１２１】
このヒールクッションパッド４００の各寸法について以下に説明する。但し、寸法は一例である。
【０１２２】
ヒールクッションパッド４００の縦長は、図１０（ａ）及び図１０（ｂ）に示すように、９１．０ｍｍ程度（９０．５〜９１．５ｍｍ：好ましくは９１．０ｍｍ）である。
【０１２３】
また、後方から見たときの最大の横長は、図１０（ａ）、図１０（ｃ）及び図１０（ｄ）に示すように、６８．０ｍｍ程度（６７．５〜６８．５ｍｍ：好ましくは６８．０ｍｍ）であり、前方から見たときの最小の横長は図１０（ａ）及び図１０（ｃ）に示すように５７．０ｍｍ程度（５６．５〜５７．５ｍｍ：好ましくは５７．０ｍｍ）である。
【０１２４】
前述の傾斜部４２０は図１０（ａ）に示すように、幅が１８．０ｍｍ程度（１７．５〜１８．５ｍｍ：好ましくは１８．０ｍｍ）である。また、傾斜部４２０を成型し始める横線４２０ａ付近の厚みは５．０ｍｍ程度（４．５〜５．５ｍｍ：好ましくは５．０ｍｍ）である（図１０（ｂ）参照）。
【０１２５】
また、傾斜部４２０の先端４２１の厚みは１．０ｍｍ程度（０．５〜１．５ｍｍ：好ましくは１．０ｍｍ）である（図１０（ｂ）参照）。
【０１２６】
さらに、ヒールクッションパッド４００の後面４００ａの厚みは８．０ｍｍ程度（７．５〜８．５ｍｍ：好ましくは８．０ｍｍ）である（図１０（ｂ）及び図１０（ｄ）参照）。
【０１２７】
そして、ヒールクッションパッド用足底筋膜保護用凹部４１０は、図１０（ａ）及び図１０（ｂ）に示すように、パッド後端４０２からヒールクッションパッド用足底筋膜保護用凹部４１０の頂部（以下ヒールクッションパッド用足底筋膜保護用凹部頂部４１２という）が２０．０ｍｍ程度（１９．５〜２０．５ｍｍ：好ましくは２０．０ｍｍ）になる付近から成型されている。このヒールクッションパッド用足底筋膜保護用凹部頂部４１２は略半円形状である。
【０１２８】
また、図１０（ａ）及び図１０（ｂ）に示すように、ヒールクッションパッド用足底筋膜保護用凹部４１０のヒールクッションパッド用足底筋膜保護用凹部頂部４１２に対向する前端（以下ヒールクッションパッド用足底筋膜保護用凹部前端４１３）は、横線４２０ａから１５．０ｍｍ程度（１４．５〜１５．５ｍｍ：好ましくは１５．０ｍｍ）になる付近から成型されている。
【０１２９】
そして、図１０（ａ）に示すように、このヒールクッションパッド用足底筋膜保護用凹部前端４１３の幅は３０．０ｍｍ程度（２９．５〜３０．５ｍｍ：好ましくは３０．０ｍｍ）であり、長軸（以下凹部長軸４１４という）は４５．０ｍｍ程度（４４．５〜４５．５ｍｍ：好ましくは４５．０ｍｍ）である。
【０１３０】
また、ヒールクッションパッド用足底筋膜保護用凹部頂部４１２の両端（端４１２ａ、端４１２ｂ）から広がる直線部分４１５（直線４１５ａ、４１５ｂ）がヒールクッションパッド用足底筋膜保護用凹部前端４１３の両端（端４１３ａ、４１３ｂ）に接続されている。
【０１３１】
前述のヒールクッションパッド用足底筋膜保護用凹部頂部４１２の端４１２ａと端４１２ｂとの間（以下短軸４１２ｃという）は、２４．０ｍｍ程度（２３．５〜２４．５ｍｍ：好ましくは２４．０ｍｍ）である。
【０１３２】
そして、深さは図１０（ｂ）及び図１０（ｄ）に示すように、５．０ｍｍ程度（４．０〜６．０ｍｍ：好ましくは５．０ｍｍ）である。
【０１３３】
すなわち、ヒールクッションパッド用足底筋膜保護用凹部４１０は、ヒールクッションパッド用足底筋膜保護用凹部頂部４１２と、直線４１５ａ、４１５ｂと、ヒールクッションパッド用足底筋膜保護用凹部前端４１３とで囲まれた閉曲線形状である（実施の形態１と同様な銅鐸形状）。
【０１３４】
このヒールクッションパッド４００と足裏の関係を図１１と図１２とを用いて説明する。
【０１３５】
図１１には、足３００（右）の側面形状の他にヒールクッションパッド用足底筋膜保護用凹部４１０の側面を示して説明する。図１２は足３００（右）を裏面から見た場合の骨格を示して説明する。
【０１３６】
図１１及び図１２に示すように、ヒールクッションパッド４００は後足部３６０に対応している。すなわち、ヒールクッションパッド４００に成形されているヒールクッションパッド用足底筋膜保護用凹部４１０は、図１２に示すように、筋膜起点部３６３Ｂ及びこの筋膜起点部３６３Ｂから放射状に延びている足底筋膜Ｋを避けている。
【０１３７】
従って、実施の形態１と同様に足底筋膜Ｋの筋膜起点部３６３Ｂが痛くなることがない。つまり、足底筋膜炎による痛みがとれることになる。
【０１３８】
＜実施の形態３＞
上記実施の形態２においては単層のヒールクッションパッド４００で、材質は粘弾性シリコンゼェルとして説明したが、多層構造であっても構わない。この多層構造のヒールクッションパッドを実施の形態３として説明する。なお、図中において上記実施の形態１、２と同様な符号については説明を省略する。
【０１３９】
図１３は実施の形態３の多層構造のヒールクッションパッドを説明する説明図である。実施の形態３においては、多層構造のヒールクッションパッドを第１の多層構造ヒールクッションパッド５００と称する。また、実施の形態３においては、寸法を記載して説明するが、この寸法は一例である。
【０１４０】
図１３（ａ）は第１の多層構造ヒールクッションパッド５００の平面図であり、図１３（ｂ）は第１の多層構造ヒールクッションパッド５００の側面図である。図１３（ｃ）は第１の多層構造ヒールクッションパッド５００を前側から見た場合の正面図である。図１３（ｄ）は第１の多層構造ヒールクッションパッド５００を後側から見た場合の後面図である。
【０１４１】
図１３（ｂ）、図１３（ｃ）及び図１３（ｄ）に示すように、第１の多層構造ヒールクッションパッド５００は、ウレタン製の下層部材（以下第１のパッド用下層部材５２０という）と、ウレタン製の上層部材（以下第１のパッド用上層部材５１０という）とで構成されている。なお、第１のパッド用上層部材５１０の上には図示しない表面層を設けても構わない。
【０１４２】
前述の第１のパッド用下層部材５２０（第２の部材ともいう）の厚みは１．０ｍｍ程度（０．５ｍｍ〜３．０：好ましくは１．０ｍｍ）にされている。
【０１４３】
また、第１のパッド用下層部材５２０と第１のパッド用上層部材５１０（第１の部材ともいう）とは硬度が相違する。第１のパッド用上層部材５１０が硬く、第１のパッド用下層部材５２０が柔らかい。
【０１４４】
また、図１３（ａ）に示すように、第１のパッド用上層部材５１０のヒールクッションパッド用足底筋膜保護用凹部４１０は、第１のパッド用下層部材５２０と第１のパッド用上層部材５１０とで数ｍｍの深さの凹部となる。
【０１４５】
このため、足３００をこの第１の多層構造ヒールクッションパッド５００に載置した場合は、実施の形態２と同様に、踵骨３６３（図示せず）の周囲がヒールクッションパッド用足底筋膜保護用凹部４１０を除く周囲の頂（凸）に載るので、足底筋膜Ｋの筋膜起点部３６３Ｂが痛くなることがない。つまり、足底筋膜炎による痛みがとれることになる。
【０１４６】
＜実施の形態４＞
上記実施の形態３ではヒールクッションパッド用足底筋膜保護用凹部４１０の底を１ｍｍ程度の第１のパッド用下層部材５２０で構成したが、他の方法で構成しても構わない。これを実施の形態４として説明する。
図１４は実施の形態４の多層構造のヒールクッションパッドを説明する説明図である。図において上記と同一符号については説明を省略する。また、実施の形態４においては、寸法を記載して説明するが、この寸法は一例である。
【０１４７】
実施の形態４においては、この多層構造のヒールクッションパッドを第２の多層構造ヒールクッションパッド６００と称する。
【０１４８】
図１４（ａ）は第２の多層構造ヒールクッションパッド６００の平面図であり、図１４（ｂ）は第２の多層構造ヒールクッションパッド６００の側面図である。図１４（ｃ）は第２の多層構造ヒールクッションパッド６００を前側から見た場合の正面図である。図１４（ｄ）は第２の多層構造ヒールクッションパッド６００を後側から見た場合の後面図である。
【０１４９】
図１４（ｃ）及び図１４（ｄ）に示すように、第２の多層構造ヒールクッションパッド６００は、ウレタン製の足底筋膜保護用凹部部材６２０と、この足底筋膜保護用凹部部材６２０を囲むウレタン製上層部材６１０とから構成されている。
【０１５０】
つまり、図１４（ａ）、図１４（ｂ）及び図１４（ｄ）に示すように、軟らかいウレタン製の足底筋膜保護用凹部部材６２０（第２の部材）の側面周囲にホットメルト等を貼り付けてウレタン製上層部材６１０（第１の部材）に挿入してヒールクッションパッド用足底筋膜保護用凹部４１０を成型している。これらには、図示しない表面層を設けても構わない。
【０１５１】
前述の足底筋膜保護用凹部部材６２０の厚みは３．０ｍｍ程度（２．０ｍｍ〜６．０：好ましくは３．０ｍｍ）にされている。
【０１５２】
また、ウレタン製上層部材６１０と足底筋膜保護用凹部部材６２０とは硬度が相違する。ウレタン製上層部材６１０が硬く、足底筋膜保護用凹部部材６２０が柔らかい。
【０１５３】
このため、足３００をこの第２の多層構造ヒールクッションパッド６００に載置した場合は、実施の形態３と同様に、踵骨３６３（図示せず）の周囲がヒールクッションパッド用足底筋膜保護用凹部４１０を除く周囲の頂（凸：パッド本体部）に載るので足底筋膜Ｋの筋膜起点部３６３Ｂが痛くなることがない。つまり、足底筋膜炎による痛みがとれることになる。
【０１５４】
＜実施の形態５＞
上記の実施の形態２〜実施の形態４のヒールクッションパッドは以下のような馬蹄形型ヒールパッドであっても構わない。
図１５は実施の形態５の馬蹄形型ヒールクッションの説明図である。馬蹄形型ヒールクッションパッド７００は、単層、多層でも構わない。さらに、材質はウレタン樹脂、エラストマー、コルクゴム、ＥＶＡ樹脂材、粘弾性シリコンゼェル等が好ましい。また、実施の形態５においては、寸法を記載して説明するが、この寸法は一例である。
【０１５５】
実施の形態５の馬蹄形型ヒールクッションパッド７００は、単層とし、材質は粘弾性シリコンゼェルを一例として説明する。
【０１５６】
図１５（ａ）は馬蹄形型ヒールクッションパッド７００の平面図であり、図１５（ｂ）は馬蹄形型ヒールクッションパッド７００の側面図である。図１５（ｃ）は馬蹄形型ヒールクッションパッド７００を前側から見た場合の正面図である。図１５（ｄ）は馬蹄形型ヒールクッションパッド７００を後側から見た場合の後面図である。
【０１５７】
図１５（ａ）〜図１５（ｄ）に示すように、中央には馬蹄形型用足底筋膜保護用凹部７３０を成型している。この馬蹄形型用足底筋膜保護用凹部７３０は、ヒールクッションパッド用足底筋膜保護用凹部前端４１３（図１０参照）を爪先側にさらに延長させて傾斜部４２０の先端４２１に至っている。
【０１５８】
この馬蹄形型用足底筋膜保護用凹部７３０の凹部底面７３５は、図１５（ｂ）〜図１５（ｄ）に示すように厚みが０．５ｍｍ程度（０．３〜０．８ｍｍ：好ましくは０．５ｍｍ）である。そして、凹部底面７３５の凹部底面先端側７３５ａは、先端両側（外側凹部底面先端７３５ａａ、内側凹部底面先端７３５ｂｂ）から湾曲させられている。これは、馬蹄形型ヒールクッションパッド７００は馬蹄形状にされているので、できるだけ外側、内側に広がらないようにするためである。外側、内側に広がっても構わない場合は、湾曲させる必要はない。
【０１５９】
また、馬蹄形型ヒールクッションパッド７００の外側凹部底面先端７３５ａａと内側凹部底面先端７３５ｂｂとの間は、３７．０ｍｍ程度（３６．０〜３８．０ｍｍ：好ましくは３７．０ｍｍ）にされている。
【０１６０】
このため、足３００をこの馬蹄形型ヒールクッションパッド７００に載置した場合は、馬蹄形型用足底筋膜保護用凹部７３０が先端４２１ａ、４２１ｂに渡って凹んでいるので、足底筋膜Ｋの筋膜起点部３６３Ｂが痛くならないと共に、この付近の足底筋膜Ｋが足裏に当たるのを防止することができる。
【０１６１】
＜実施の形態６＞
実施の形態６は、馬蹄形型ヒールクッションパッド７００を多層構造として説明する。この多層構造にした馬蹄形型ヒールクッションパッド７００を第１の多層型馬蹄型ヒールクッションパッド８００と称する。
【０１６２】
図１６は実施の形態６の第１の多層型馬蹄型ヒールクッションパッド８００の説明である。図において上記の図と同一符号のものについては説明を省略する。また、寸法は一例である。
【０１６３】
図１６（ａ）は第１の多層型馬蹄型ヒールクッションパッド８００を上から見た場合の平面図であり、図１６（ｂ）は第１の多層型馬蹄型ヒールクッションパッド８００の側面図である。図１６（ｃ）は第１の多層型馬蹄型ヒールクッションパッド８００を前側から見た場合の正面図である。図１６（ｄ）は第１の多層型馬蹄型ヒールクッションパッド８００を後側から見た場合の後面図である。
【０１６４】
図１６（ａ）〜図１６（ｄ）に示すように、第１の多層型馬蹄型ヒールクッションパッド８００は、多層構造用ウレタン製下層部材８２０（第２の部材ともいう）と多層構造用ウレタン製上層部材８１０（第１の部材ともいう）とで構成している。
【０１６５】
この多層構造用ウレタン製下層部材８２０は厚みが１．０ｍｍ程度（０．８〜１．５ｍｍ：好ましくは１．０ｍｍ）であり、多層構造用ウレタン製上層部材８１０に対して軟らかい。また、多層構造用ウレタン製上層部材８１０は多層構造用ウレタン製下層部材８２０に対して硬い。
【０１６６】
そして、多層構造用ウレタン製上層部材８１０は図１６（ａ）に示すように、図１５と同様な馬蹄形型用足底筋膜保護用凹部７３０を成型している。
【０１６７】
この馬蹄形型用足底筋膜保護用凹部７３０の凹部底面７３５は、図１６（ａ）〜図１６（ｄ）に示すように、多層構造用ウレタン製下層部材８２０で成型している。
【０１６８】
このため、足３００をこの第１の多層型馬蹄型ヒールクッションパッド８００に載置した場合は、実施の形態５と同様な効果を得ることができる。
【０１６９】
＜実施の形態７＞
上記実施の形態６では第１の多層型馬蹄型ヒールクッションパッド８００の多層構造用ウレタン製下層部材８２０の厚みを１ｍｍ程度として説明したが他の方法で成型しても構わない。これを実施の形態４として説明する。
【０１７０】
図１７は実施の形態７の第２の多層型馬蹄型ヒールクッションパッド９００の説明図である。図において上記と同一符号については説明を省略する。また、寸法は一例である。
【０１７１】
図１７（ａ）は第２の多層型馬蹄型ヒールクッションパッド９００を上から見た場合の平面図であり、図１７（ｂ）は第２の多層型馬蹄型ヒールクッションパッド９００の側面図である。図１７（ｃ）は第２の多層型馬蹄型ヒールクッションパッド９００を前側から見た場合の正面図である。図１７（ｄ）は第２の多層型馬蹄型ヒールクッションパッド９００を後側から見た場合の後面図である。
【０１７２】
図１７（ｃ）及び図１７（ｄ）に示すように、第２の多層型馬蹄型ヒールクッションパッド９００は、ウレタン製の多層構造用足底筋膜保護用凹部部材９２０（第２の部材）と、この多層構造用足底筋膜保護用凹部部材９２０を囲む多層構造用ウレタン製上層部材８１０（第１の部材）とから構成されている。
【０１７３】
つまり、図１７（ａ）、図１７（ｂ）及び図１７（ｄ）に示すように、軟らかい多層構造用足底筋膜保護用凹部部材９２０の側面周囲にホットメルト等を貼り付けて多層構造用ウレタン製上層部材８１０に挿入して馬蹄形型用足底筋膜保護用凹部７３０を成型している。これらには、図示しない表面層を設けても構わない。
【０１７４】
前述の多層構造用足底筋膜保護用凹部部材９２０の厚みは３．０ｍｍ程度（２．０ｍｍ〜６．０：好ましくは３．０ｍｍ）にされている。
【０１７５】
また、多層構造用ウレタン製上層部材８１０と多層構造用足底筋膜保護用凹部部材９２０とは硬度が相違する。多層構造用ウレタン製上層部材８１０が硬く、多層構造用足底筋膜保護用凹部部材９２０が柔らかい。
【０１７６】
このため、足３００をこの第２の多層型馬蹄型ヒールクッションパッド９００に載置した場合は、実施の形態３と同様に、踵骨３６３の周囲が多層構造用足底筋膜保護用凹部部材９２０を除く周囲の頂（凸：多層構造用ウレタン製上層部材８１０）に載るので、足底筋膜Ｋの筋膜起点部３６３Ｂが痛くなることがない。つまり、足底筋膜炎による痛みがとれることになる。
【符号の説明】
【０１７７】
１１０  下層部材
１１５  楕円穴
１２０  中層部材
１３０  上層部材
２００  インソール
２４０  横アーチ用凸部
２５０  内側縦アーチ用凸部
２６０  外側縦アーチ用凸部
２７０  足底筋膜保護用凹部
３６０  後足部
３１２  第１末節骨
３１３  第２末節骨
３１４  第３末節骨
３１５  第４末節骨
３１６  第５末節骨
３４２  第１中足骨
３４３  第２中足骨
３４４  第３中足骨
３４５  第４中足骨
３４６  第５中足骨
３５２  第１楔状骨
３５３  第２楔状骨
３５４  第３楔状骨
３５６  立方骨
３５７  舟状骨
３６２  距骨
３６３  踵骨
３６３Ａ  踵骨隆起
３６３Ｂ  筋膜起点部
Ｋ        足底筋膜
【図１】
0006609222.tif 000002
【図２】
0006609222.tif 000003
【図３】
0006609222.tif 000004
【図４】
0006609222.tif 000005
【図５】
0006609222.tif 000006
【図６】
0006609222.tif 000007
【図７】
0006609222.tif 000008
【図８】
0006609222.tif 000009
【図９】
0006609222.tif 000010
【図１０】
0006609222.tif 000011
【図１１】
0006609222.tif 000012
【図１２】
0006609222.tif 000013
【図１３】
0006609222.tif 000014
【図１４】
0006609222.tif 000015
【図１５】
0006609222.tif 000016
【図１６】
0006609222.tif 000017
【図１７】
0006609222.tif 000018
【図１８】
0006609222.tif 000019
【図１９】
0006609222.tif 000020
【図２０】
0006609222.tif 000021